(57)【特許請求の範囲】
【請求項１】
天板とコンロ本体とを備え、調理台天板に開設された取り付け穴内に挿入した状態で調理台天板に取り付けられるドロップインコンロにおいて、上記取り付け穴内に取り付け穴の上部開口縁より内側に突出する突出部を設け、上記天板を調理台天板の上面に係合させると共にコンロ本体を突出部に保持させ、さらに、調理台天板を上下２段に分けて構成し、火力調節や点消火操作を行うコントローラ部を調理台天板の低い側の段に取り付けると共に、上記コンロ本体とコントローラ部との間で通信し得るように構成したことを特徴とするドロップインコンロ。
【請求項２】
上記天板が調理台天板の上面に係合した状態で天板の下面に全周にわたって当接する円筒壁部をコンロ本体に設け、天板の下面を伝ってバーナの熱気が調理台天板に作用することを円筒壁部で阻止することを特徴とする請求項１記載のドロップインコンロ。
【請求項３】
上記天板は調理台天板の上面に係合するフランジ部を上端に備えると共に、このフランジ部より下方に位置する底板部を有し、この底板部の上面に五徳を載置し得るように構成したことを特徴とする請求項１または請求項２記載のドロップインコンロ。
【発明の詳細な説明】
【０００１】
【発明の属する技術分野】
本発明は、天板とコンロ本体とを備え、調理台天板に開設された取り付け穴内に挿入した状態で調理台天板に取り付けられるドロップインコンロに関する。
【０００２】
【従来の技術】
従来のこの種のドロップインコンロは、一般的にカウンタートップ等の調理台天板に開設した取り付け穴にコンロ本体を上方から落とし込み、コンロ本体の上端部に設けた外側に張り出すフランジ部を調理台天板の上面に係合させることによりコンロ本体を調理台天板に保持させていた。また、コンロ本体のフランジ部を隠すように天板を調理台天板の上面に載置していた。
【０００３】
このような従来のドロップインコンロでは、天板がコンロ本体のフランジ部を覆い隠さなければならないため、天板と調理台天板の上面との間に空間を確保しなければならず、天板が調理台天板の上面から高く突き出さざるを得なかった。このため、調理台天板の上面から天板が突き出さないフラットなデザインを採用することができなかった。
【０００４】
そこで、例えば特開平１１−２３７０５６号公報により、天板を調理台天板の上面に係合させ、コンロ本体は天板の下面に取り付けることにより、天板が調理台天板の上面から上方へ突き出さないようにしたものが知られている。
【０００５】
また、実開昭６３−１７８７０９号公報により、調理台天板の上面を取り付け穴を中心にして広い範囲にわたって削り落とし、その削り落とした一段低い面にコンロ本体を係合させると共に、削り込んだ面に補助の五徳を並べて調理台天板の上面と補助の五徳と天板に取り付けた五徳とがほぼ同じ高さになるようにしたものが知られている。なお、このものでは天板はコンロ本体に載置されている。
【０００６】
【発明が解決しようとする課題】
上記公報に記載されたもののうち先のものは、調理台天板に係合した天板にコンロ本体を取り付けるため、天板に大きな荷重が作用する。そのため、天板を強固に作成する必要があり、調理台天板からの天板の突き出し量を低くするのに限界がある。
【０００７】
また、上記公報に記載されたもののうち、後のものでは、調理台天板の上面を削り込んだ面にごみや煮こぼれが堆積し、使用するに従って美観が著しく損なわれるという不具合がある。
【０００８】
そこで本発明は、上記の問題点に鑑み、天板を必要以上に強固に作成する必要が無く、かつ使用するに従って美観が損なわれることのないドロップインコンロを提供することを課題とする。
【０００９】
【課題を解決するための手段】
上記課題を解決するために本発明によるドロップインコンロは、天板とコンロ本体とを備え、調理台天板に開設された取り付け穴内に挿入した状態で調理台天板に取り付けられるドロップインコンロにおいて、上記取り付け穴内に取り付け穴の上部開口縁より内側に突出する突出部を設け、上記天板を調理台天板の上面に係合させると共にコンロ本体を突出部に保持させ、さらに、調理台天板を上下２段に分けて構成し、火力調節や点消火操作を行うコントローラ部を調理台天板の低い側の段に取り付けると共に、上記コンロ本体とコントローラ部との間で通信し得るように構成したことを特徴とする。
【００１０】
上記構成によれば、コンロ本体の荷重は全て突出部に作用し、天板にコンロ本体の荷重が作用することがない。そのため天板を薄く作成することができ、調理台天板の上面からの天板の突き出し量を小さくすることができる。
【００１１】
また、上記天板が調理台天板の上面に係合した状態で天板の下面に全周にわたって当接する円筒壁部をコンロ本体に設け、天板の下面を伝ってバーナの熱気が調理台天板に作用することを円筒壁部で阻止するように構成すれば調理中に調理台天板が加熱されにくくなる。
【００１２】
また、上記天板は調理台天板の上面に係合するフランジ部を上端に備えると共に、このフランジ部より下方に位置する底板部を有し、この底板部の上面に五徳を載置し得るように構成すれば五徳の高さが低くなり、調理中における鍋等の調理器具の高さを低くすることができる。
【００１４】
【発明の実施の形態】
図１を参照して、１は本発明によるドロップインコンロ２が取り付けられる調理台天板である。この調理台天板１は台所に固定されていてもよく、あるいは下面に脚を固定し、移動させることのできるテーブルとしてもよい。この調理台天板１は本実施の形態では２重構造となっており、上側の第１調理台天板と下側の第２調理台天板とから構成されている。３はドロップインコンロ２の作動をコントロールするコントローラである。本図はドロップインコンロ２にカバー６をセットした状態を示している。
【００１５】
図２を参照して、Ｈは取り付け穴であり、第１調理台天板１１には円形の取り付け穴が形成され、第２調理台天板１２には矩形状の取り付け穴が開設されている。コンロ本体４の外形は矩形状であり、コンロ本体４を下方から取り付け穴Ｈに差し込むと第２調理台天板に開設された矩形状の取り付け穴には入るが、第１調理台天板１１に開設した取り付け穴は第２調理台天板１２に開設した取り付け穴の外接円より若干小径に形成されているので、コンロ本体４の４隅が干渉して、コンロ本体４は第１調理台天板１１の取り付け穴には入らない。なお、第１調理台天板１１の取り付け穴の形状と第２調理台天板の取り付け穴の形状とが相違するので、第２調理台天板が第１調理台天板の取り付け穴内に突出したのと同様の構造になる。その突出部分の上面Ｈａに載置されるように取り付けフランジ４１を第１調理台天板１１の取り付け穴に上方から挿入する。そして、この取り付けフランジ４１とコンロ本体４とをねじ４２で相互に締結する。
【００１６】
ところで、コンロ本体４には上記コントローラ３と電気的に連結されるためのコネクタ４３及び電源供給用のプラグ４４とが取り付けられている。４５はガス供給管がねじ込まれるガス供給口である。なお、このコンロ本体４には環状のバーナの内側に炎孔が並設された内炎式ガスバーナ４６が内蔵されている。
【００１７】
上述のようにコンロ本体４と取り付けフランジ４１とが相互にねじ止めされると、取り付けフランジ４１は突出部分の上面Ｈａに係合して保持される。その状態で次に天板５がセットされる。この天板５には上端に外側に拡がるフランジ部５１が形成されており、第１調理台天板１１の取り付け穴に対して上方からセットするとフランジ部５１が第１調理台天板の上面に係合し、天板５は第１調理台天板の上面によって保持される。
【００１８】
図３を参照して、取り付けフランジ４１の外周縁は上方に立ち上がり円筒壁部を形成している。一方、天板５のフランジ部５１の下面には第１調理台天板の上面との密着性を向上させるためにシリコンゴムからなるパッキン５１ａが貼着されている。そして、天板５をセットすると、このパッキン５１ａに円筒壁部の上端４１ａが強く当接する。このように先端４１ａがパッキン５１ａに当接すると、バーナの燃焼により生じた熱気が遮断され天板５の下面を伝って調理台天板１に作用しない。
【００１９】
天板５はフランジ部５１が一体に形成された金属製の金具と、その金具にシリコンコーキング剤５３によって取り付けられたガラス板５２とから構成されている。そして、そのガラス板５２の上面には適宜の位置決めブロック５４が取り付けられている。なお、本実施の形態では位置決めブロックの個数を３個としたが、適宜適当と思われる個数でよい。カバー６をセットすると、カバー６は位置決めブロック５４上に載置され、カバー６の上面と天板５の最上部の位置がほぼ一致する。本実施の形態では、フランジ部５１と第１調理台天板１１の上面との段差を１．７ｍｍにすることができた。
【００２０】
なお、図２において７は五徳であり、調理しない場合はこの五徳７を用いず、図１に示すようにカバー６を天板５にセットする。天板５のガラス板５２には、カバーセンサ８が取り付けられている。図４を参照して、このカバーセンサ８は上方に付勢され上下動自在に保持されたピン８１と、ピン８１の上下動によってオンオフされるマイクロスイッチ８２とから構成される。ピン８１の上端は天板５のガラス板５２から上方に突出しており、カバー６をセットするとピン８１はカバー６によって押し下げられ、マイクロスイッチ８２はオン状態になる。すると、コンロ本体４に内蔵されたマイコン（図示せず）は  カバー６がセットされていることを検知し、コントローラ３から点火操作がされてもガスバーナに点火することを禁止する。
【００２１】
調理する場合には、カバー６の中央に格納自在に設けたつまみ６１を突出させ、カバー６を天板５から取り外す。そして、天板５の中央に五徳７をセットする。図５を参照して、通常の大きさの鍋やケトル等の調理器具を使用する際には五徳７を用いる。この五徳７の下面には複数の耐熱樹脂からなる足７１が取り付けられており、天板５のガラス板５２にはこの足７１が接触することによりガラス板５２が傷付かないようにしている。また、五徳７の中央には漏斗状の傾斜部７２が設けられており、調理器具から煮こぼれ等が生じた場合、傾斜部７２で煮こぼれを中央へと案内するように構成されている。案内された煮こぼれ等は図示しないがコンロ本体４に設けられたトレイに溜まり、必要に応じて取り除かれる。なお、つまみ６１を設けずに穴をカバー６に形成し、その穴に指を引っかけてカバー６を天板５から取り外すようにしてもよい。
【００２２】
このようにカバー６が外されるとカバーセンサ８のピン８１が上昇し、マイクロスイッチ８２がオフになるので、上記マイコンはカバー６が外されたと判断し、コントローラ３から点火操作がされるとガスバーナ４６に点火する。
【００２３】
ところで、五徳７より遙かに大きな大型の鍋等を用いる場合には五徳７では安定が悪い。その場合には大型の五徳９を天板５のガラス板５２上に載置して調理を行う。この大型の五徳９は複数の爪９１がリング９２の内周に溶接されることにより形成されている。その際、位置決めブロック５４の内側端面がリング９２の外周を規制して、五徳９を天板の中央に位置するように位置決めを行う。そして全ての調理が終了すると、五徳７及び大型の五徳９を取り外し、カバー６を天板５にセットする。なお、大型の五徳９を使用する場合でも五徳７は天板に取り付けたままの状態で調理を行う。
【００２４】
上記実施の形態では、天板５のガラス板５２及びカバー６をガラス製としたが、セラミックや金属、あるいはその他の適宜の材料を用いることができる。
【図面の簡単な説明】
【図１】本発明の一実施の形態の構成を示す図
【図２】ドロップインコンロの取り付け手順を示す分解図
【図３】取り付け状態を示す部分断面図
【図４】カバーを取り付けた状態を示す断面図
【図５】カバーを取り外した状態を示す断面図
【符号の説明】
１  調理台天板
２  ドロップインコンロ
３  コントローラ
４  コンロ本体
５  天板
６  カバー
７  五徳
８  カバーセンサ
９  （大型の）五徳
【図１】
0003711050.tif 000002
【図２】
0003711050.tif 000003
【図３】
0003711050.tif 000004
【図４】
0003711050.tif 000005
【図５】
0003711050.tif 000006